(57)【特許請求の範囲】
【請求項１】
蓄熱物質と、この蓄熱物質を液密に封入する内袋と、樹脂フィルムを製袋して形成され内部に上記内袋を封入する外袋と、を備え、電子レンジ等で加熱して使用する保温具であって、上記外袋に、上記樹脂フィルムが互いに接着されてなる少なくとも１辺のシール部を形成し、このシール部において上記外袋の一端を上部としたとき中央よりも上部よりの一部に上記シール部の幅方向に対して上記外袋の内部から外部下方に傾斜させた非接着部を設けて加熱する前から上記外袋の内部と外部とを連通した状態にする通気部を形成したことを特徴とする保温具。
【請求項２】
上記通気部の通路長を上記シール部の幅よりも長く形成したことを特徴とする請求項１に記載の保温具。
【請求項３】
上記内袋の少なくとも一部に他の幅よりも強度の弱い易破袋部を設けたことを特徴とする請求項１または請求項２に記載の保温具。
【請求項４】
上記易破袋部を、上記通気部から離間した位置に設けたことを特徴とする請求項３に記載の保温具。
【請求項５】
上記蓄熱物質を上記内袋とは異なる色で着色するとともに、上記外袋の少なくとも一部に上記外袋の内部を透視可能な透視部を設けたことを特徴とする請求項１乃至請求項４の何れか１つに記載の保温具。
【請求項６】
上記外袋の上部に把持部を設けたことを特徴とする請求項１乃至請求項５の何れか１つに記載の保温具。
【発明の詳細な説明】
【０００１】
【発明の属する技術分野】
本発明は保温具に関し、詳しくは内部に蓄熱物質を封入した保温具に関する。
【０００２】
【従来の技術】
従来より、プラスチック製の袋状容器内部にゲル状の蓄熱物質を封入して構成され、電子レンジまたは湯煎により加熱して使用され保温具がある。この種の保温具は、金属製、陶器製、プラスチック製等の容器内部にお湯を注入して用いる湯たんぽに比べ、使用時にお湯を容器に注入する等の手間が省ける点で利便性に優れる。
【０００３】
しかしながら、上記保温具においては、電子レンジや湯煎により加熱した際に、温度が高すぎるか加熱時間が長すぎると、袋状容器内部の圧力が高まることによる袋状容器の破裂が発生して内部の蓄熱物質が飛散する虞がある。そして、電子レンジで加熱していた際は飛散した蓄熱物質により電子レンジ内を汚損したり、湯煎により加熱していた際は蓄熱物質とともにお湯が飛散されて周囲を汚損する等の虞がある。
【０００４】
これに対処し、例えば実公平８−４０１５号公報には、温度保持組成物（蓄熱物質）を含有する可撓性で液漏れしない内袋を、毛細管を具備した液体不浸透性材料のシートから少なくとも部分的に組み立てられ、且つ毛細管のそれぞれがシートの平面内に底部と該シートの該平面から離れた先端部とを有する外側パウチ（外袋）内に配置した技術が開示されている。このような技術によれば、万一内袋が破裂した場合にも、外側パウチの毛細管が熱いゲル（蓄熱物質）を保持しながら内部の膨張ガスを排出するので、蓄熱物質の飛散が防止される。
【０００５】
【発明が解決しようとする課題】
しかしながら、上記実公平８−４０１５号公報に開示された技術は、シートの平面内に微細な複数の毛細管を設ける必要があり、製造工程が複雑化する。特に、毛細管による蓄熱物質の保持と膨張ガスの排出を効果的に両立させるためには、毛細管の加工を所定の高い精度で行うことが要求される。また、シートの平面内に複数の毛細管を設けることはシートの強度低下を招く虞があり、十分なシートの強度を得るためには、肉厚なものを使用する必要があるため製造コストの高騰を招く虞がある。
【０００６】
本発明は、これらの事情に鑑みてなされたもので、簡単な構成で、万一過加熱によって上記内袋が破裂した際に、蓄熱物質を外袋内に保持しつつ通気部を介して膨張ガスのみを直ちに外部に排出させて上記蓄熱物質が外袋外に飛散することを防止することができ、特に上記通気部はシール部の中央よりも一端よりの一部に上記シール部の幅方向に対して上記外袋の内部から外部中央側に傾斜させて設けたことにより、内袋が破裂した際に、飛散する上記蓄熱物質が上記通気部に進入することを低減することができるようにした保温具を提供することを目的とする。
【０００７】
【課題を解決するための手段】
上記課題を解決するために、請求項１記載の発明に係る保温具は、蓄熱物質と、この蓄熱物質を液密に封入する内袋と、樹脂フィルムを製袋して形成され内部に上記内袋を封入する外袋と、を備え、電子レンジ等で加熱して使用する保温具であって、上記外袋に、上記樹脂フィルムが互いに接着されてなる少なくとも１辺のシール部を形成し、このシール部において上記外袋の一端を上部としたとき中央よりも上部よりの一部に上記シール部の幅方向に対して上記外袋の内部から外部下方に傾斜させた非接着部を設けて加熱する前から上記外袋の内部と外部とを連通した状態にする通気部を形成したことを特徴とする。
【０００８】
請求項１記載の発明によれば、樹脂フィルムを製袋して形成され内部に内袋を封入する外袋を設け、この外袋に、上記樹脂フィルムが互いに接着されてなる少なくとも１辺のシール部を形成し、このシール部において上記外袋の一端を上部としたとき中央よりも上部よりの一部に上記シール部の幅方向に対して上記外袋の内部から外部下方に傾斜させた非接着部を設けて加熱する前から上記外袋内部と外部とを連通する通気部を形成した構成で、万一過加熱によって上記内袋が破裂した際に、蓄熱物質を外袋内に保持しつつ通気部を介して膨張ガスのみを直ちに外部に排出させて上記蓄熱物質が外袋外に飛散することを防止することができ、特に上記通気部は上記シール部の上部よりの一部に上記シール部の幅方向に対して上記外袋の内部から外部下方に傾斜させて設けたことにより、内袋が破裂した際に、飛散する上記蓄熱物質が上記通気部に進入することを低減することができる。
【０００９】
また、請求項２記載の発明では、請求項１において、上記通気部の通路長を上記シール部の幅よりも長く形成したことを特徴とする。
【００１０】
また、請求項３記載の発明では、請求項１または請求項２において、上記内袋の少なくとも一部に他の部分よりも強度の弱い易破袋部を設けたことを特徴とする。
【００１１】
また、請求項４記載の発明は、請求項３において、上記易破袋部を、上記通気部から離間した位置に設けたことを特徴とする。
【００１２】
また、請求項５記載の発明は、請求項１乃至請求項４の何れか１つにおいて、上記蓄熱物質を上記内袋とは異なる色で着色するとともに、上記外袋の少なくとも一部に上記外袋の内部を透視可能な透視部を設けたことを特徴とする。
【００１３】
また、請求項６記載の発明は、請求項１乃至請求項５の何れか１つにおいて、上記外袋の一部に把持部を設けたことを特徴とする。
【００１４】
【発明の実施の形態】
以下、図面を参照して本発明の実施の形態を説明する。図１，２は本発明の第１の実施の形態に係わり、図１は保温具の上面図、図２は保温具の斜視図、図３は外袋の下縁シール部を開放した状態での保温具の分解斜視図、である。
【００１５】
図面において、符号１は保温具を示し、この保温具１は、内部にゲル状の蓄熱物質５を液密に封入する袋状の内袋６と、内部に内袋６を封入する外袋７と、を備えて構成されている。
【００１６】
上記内袋６は、可撓性プラスチックフィルム等の樹脂製フィルムからなる表シート１１と裏シート１２とを備えて構成されている。これら表シート１１と裏シート１２の４辺の縁部は互いに接着されてシール部１３が形成され、このシール部１３によって製袋された内袋６の内部に、上記蓄熱物質５が液密に封入されている。
【００１７】
ここで、蓄熱物質５には内袋６とは異なる色の着色が施されており、内袋６から蓄熱物質５が漏れ出た際等にその判定が容易に行えるようになっている。この場合、蓄熱物質５の色は、使用者に対して容易に警告を与え得る色であることが望ましく、本実施の形態において、蓄熱物質５は、例えば赤色等に着色されている。
【００１８】
上記外袋７は、可撓性プラスチックフィルム等の樹脂製フィルムからなる表シート１５と裏シート１６とを備えて構成されている。これら表シート１５と裏シート１６の４辺の縁部は互いに接着されてシール部１７が形成され、このシール部１７によって製袋された外袋７の内部に、上記内袋６が封入されている。
【００１９】
ここで、上記外袋７は、少なくとも一部が、透明なフィルム素材あるいは比較的透過度の高い半透明フィルム素材によって、透視部として形成されていることが望ましく、また、他の部分は蓄熱物質５とのコントラストが明瞭な色であることが望ましい。そこで、本実施の形態においては、例えば、上記表シート１５が透明の樹脂製フィルムで構成され、上記裏シート１６が白色の樹脂製フィルムで構成されている。
【００２０】
外袋７の左右両縁に位置するシール部１７には、例えば上方に偏倚した位置に外袋７の内部と外部とを連通する細長の非接着部がそれぞれ３本ずつ設けられ、これらの非接着部が通気部１８として形成されている。ここで、上記通気部１８の通路長は、シール部１７の幅に対して例えば１．１〜１．５倍程度の長さを有することが望ましい。この場合、通気部１８をシール部１７の幅方向に対して傾斜あるいは湾曲して形成されることで通路長の確保が可能となる。本実施の形態においては、通気部１８は、シール部１７の幅方向に対して、例えば外袋７の内部から外部下方に指向して傾斜されている。
【００２１】
なお、本発明の通気部１８は、これらに限定されるものではなく、ある程度外部との通気量を確保しつつ、蓄熱物質５を漏れにくくできればよく、外袋７の内側から外側に向けて拡開されたいわゆるラッパ形状としてもよい。
【００２２】
また、外袋７の上縁に位置するシール部１７は、他のシール部１７よりも幅広に形成されており、使用者が保温具１を把持する際の把持部１７ａとして形成されている。なお、把持部１７ａを形成する際には、外袋７に設けられていればよく、外袋７の上縁に位置するシール部１７を、他のシール部１７と同様の幅に形成し、上縁のシール部１７の外縁に表シート１５／裏シート１６を延設した構成でもよい。
【００２３】
次に、上記構成による保温具１を使用する際には、使用者は、先ず、保温具１を電子レンジ内で加熱する。これにより、蓄熱物質５に熱が蓄熱される。蓄熱物質５に対する十分な加熱がなされると、使用者は、シール部１７（把持部）を把持して電子レンジから保温具１を取り出し、所定の専用カバー等で覆った後、人体等の所望箇所に当接させる。または、湯たんぽのように、布団内に配置する。
【００２４】
このような実施の形態によれば、保温具１の加熱は電子レンジによるものであるので、使用者は必要なときに簡単に使用を開始することができる。
【００２５】
また、保温具１は、内袋６を外袋７の内部に封入し、外袋７のシール部１７に細長の通気部１８を設けた構成とすることにより、万一、過加熱等によって内袋６が破裂し、蓄熱物質５が内袋６から飛散した場合にも、飛散した蓄熱物質５による電子レンジ内の汚損等を効果的に防止することができる。すなわち、外袋７は、内袋６が破裂した際に、熱いゲル状の蓄熱物質５を内部に保持しつつ通気部１８を介して膨張ガスのみを排出することができるので、蓄熱物質５が電子レンジ内に飛散して汚損等を引き起こすことを効果的に防止することができる。
【００２６】
この場合、通気部１８をシール部１７の幅方向に対して傾斜させ、通気方向を規定するとともに通路長の十分な確保を図ることにより、内袋６の破裂時における通気部１８からの蓄熱物質６の漏出頻度を低減することができる。すなわち、内袋６のシール部１３に対して通気部１８を傾斜させることにより、シール部１３が破裂した際に、飛散した蓄熱物質５の通気部１８への進入を低減することができる。また、通気部１８の通路長の十分な確保を図ることにより、たとえ蓄熱物質５が通気部１８に進入した場合にも、外部への漏出を低減することができる。
【００２７】
また、表シート１５を透明あるいは半透明な樹脂フィルムで構成して外袋７の内部を透視可能とすることにより、使用者は、過加熱等によって内袋６が破裂したことを速やかに視認することができる。この場合、特に、蓄熱物質５の色を赤色等の警告色で着色することにより使用者の視認性を向上させることができる。さらに、外袋７の裏シート１６の色を蓄熱物質５とのコントラストが明瞭な色に設定することにより使用者の視認性をより向上することができる。
【００２８】
また、通気部１８は、シール部１７に非接着部を設けただけの簡単な構成であるので、加工が容易であり、シール部１７上であれば任意に形状や形成位置を設定することができる。この場合、通気部１８の中途を湾曲させて蓄熱物質５のトラップを形成する等の処置を行えば、蓄熱物質５の漏出防止をより効果的に実現することができる。
【００２９】
また、表シート１５や裏シート１６の平面内に毛細管等の通気孔を形成する必要がないため、これら各シート１５，１６の強度を必要以上に高める必要がなく、製造コストを安価なものとすることができる。
【００３０】
また、外袋７の一部を把持部１７ａとして形成することで、保温具１の機能性を向上することができる。この場合、保温具１が加熱された直後等であっても、把持部１７ａを把持することによって、電子レンジ内から保温具１を容易に取り出すことができる。
【００３１】
次に、図４は本発明の第２の実施の形態に係わり保温具の上面図である。なお、本実施の形態は、内袋６に他の部位よりも強度の弱い易破袋部２０を設けた点が上述の第１の実施の形態と異なる。その他、同様の構成については同符号を付して説明を省略する。
【００３２】
図３に示すように、内袋６に形成された４辺のシール部１３のうちの１辺は、その幅が他のシール部１３の幅よりも狭く形成され、この部位が易破袋部２０として形成されている。すなわち、易破袋部２０は、他の部位に位置するシール部１３よりも弱い強度に形成され、過加熱等によって内袋６に高圧な内圧がかかった際に、最初に破裂する部位として設定されている。
【００３３】
この易破袋部２０は、具体的には、内袋６を構成する表シート１１及び裏シート１２自体の強度よりも弱い強度であって、他のシール部１３よりも弱い強度に設定されることにより、内袋６内に高圧な内圧がかかった際に最初に破裂することが可能となる。勿論、この易破袋部２０の強度は、加熱後の使用時等に、使用者等によって所定の押圧力が加えられた際にも、十分に破裂に耐えうる強度である。
【００３４】
ここで、易破袋部２０の形成位置は外袋７に設けられた通気部１８から離間した位置に設定され、且つ、易破袋部２０の破裂方向は通気部１８が外袋７内で指向する方向とは異なる方向に設定されている。図示の例において具体的には、内袋６の下縁に位置するシール部１３が易破袋部２０として形成され、この易破袋部２０は、内袋６に所定値以上の内圧がかかったときに、下方に向かって破裂する。
【００３５】
このような実施の形態によれば、上述の第１の実施の形態で得られる作用効果に加え、易破袋部２０の位置を通気部１８から離間した位置に設定するとともに、易破袋部２０の破裂方向を通気部１８が外袋７内で指向する方向とは異なる位置に設定することにより、内袋６の破裂時に、蓄熱物質５が通気部１８に到達して外部に漏出することをより効果的に防止できるという効果を奏する。
【００３６】
また、易破袋部２０は、シール部１３の幅を狭めるだけで簡単に形成することができる。しかも、易破袋部２０の強度は、シール部１３の幅を変化させることで容易に設定することができる。
【００３７】
なお、易破袋部２０は、一端のシール部１３の幅全体を狭めたものに限定されるものではなく、ある一端のシール部１３の幅を特定部分のみ凹状等の形状に狭めたものであってもよい。
【００３８】
さらに、上述の各実施の形態では、内袋及び外袋を一対の表シートと裏シートとでそれぞれ構成した一例について説明したが、本発明はこれに限定されるものではなく、例えば１枚のシート材を２つに折り曲げて３辺の縁部を接着することにより構成してもよく、環状に形成されたシート材の両辺を接着することにより構成してもよい。
【００３９】
【発明の効果】
以上説明したように本発明によれば、簡単な構成で、万一過加熱によって上記内袋が破裂した際に、蓄熱物質を外袋内に保持しつつ通気部を介して膨張ガスのみを直ちに外部に排出させて上記蓄熱物質が外袋外に飛散することを防止することができ、特に上記通気部はシール部において上記外袋の一端を上部としたとき中央よりも上部よりの一部に上記シール部の幅方向に対して上記外袋の内部から外部下方に傾斜させて設けたことにより、内袋が破裂した際に、飛散する前記蓄熱物質が前記通気部に進入することを低減することができる。
【図面の簡単な説明】
【図１】図１，２は本発明の第１の実施の形態に係わり、図１は保温具の上面図
【図２】保温具の斜視図
【図３】外袋の下縁シール部を開放した状態での保温具の分解斜視図
【図４】図４は本発明の第２の実施の形態に係わり、保温具の上面図
【符号の説明】
１  保温具
５  蓄熱物質
６  内袋
７  外袋
１１  表シート
１２  裏シート
１３  シール部
１５  表シート（樹脂製フィルム）
１６  裏シート（樹脂製フィルム）
１７  シール部
１７ａ  把持部
１８  通気部
２０  易破袋部
【図１】
0003752142.tif 000002
【図２】
0003752142.tif 000003
【図３】
0003752142.tif 000004
【図４】
0003752142.tif 000005